(57)【特許請求の範囲】
【請求項１】
所定方向に延長する辺を具備するスリットに囲まれることによって分離可能となる分離領域が区画形成された第１のシートと、該第１のシートに貼着された第２のシートとを有し、前記所定方向と直交する方向に引張力が加わる分離シートにおいて、
前記スリットは、前記所定方向に延長する辺に当該スリットが途切れる途切れ部を有し、前記所定方向に延長する辺のうち、前記分離領域を分離する際の分離開始部を含まない辺に設けられた前記途切れ部によって途切れる部分の２つの端部のうち前記分離開始部側の端部が前記分離領域側に向き、かつ、前記分離開始部を含む辺に設けられた前記途切れ部によって途切れる部分の２つの端部のうち前記分離開始部側ではない方の端部が前記分離領域側に向いている形状であることを特徴とする分離シート。
【発明の詳細な説明】
【技術分野】
【０００１】
本発明は、スリットによって分離領域が区画形成された分離シートに関し、特に、スリットの延長方向に対して直交する方向への引張力に対する耐久性と分離領域の分離容易性を両立する技術に関する。
【背景技術】
【０００２】
従来より、配送物に貼着される配送伝票のように、被着物に貼着された後に複数の領域に分離される分離シートにおいては、分離される複数の領域の境界線にスリットが形成され、被着物に貼着された後にこのスリットによって複数の領域に分離される構成となっているものが多い。
【０００３】
図６は、スリットを用いた従来の配送伝票の一構成例を示す図であり、（ａ）は表面図、（ｂ）は（ａ）に示したＡ−Ａ’断面図である。
【０００４】
本構成例は図６に示すように、配達票３１０と貼付票３２０と作業票３３０とが連接してなる伝票用紙３０２が粘着剤３０４ａによってラベル基材３０６に貼着されて構成されている。配達票３１０と貼付票３２０とは、伝票用紙３０２に形成されたスリット３４０によって分離可能となっており、また、貼付票３２０と作業票３３０とは、伝票用紙３０２に形成されたミシン目３５０によって分離可能となっている。伝票用紙３０２の配達票３１０となる領域の裏面には剥離剤層３３０が形成されており、これにより、伝票用紙３０２のうち配達票３１０となる領域のみがラベル基材３０６から剥離可能となっている。ラベル基材３０６には、その裏面に粘着剤３０４ｂを介して剥離紙３０７が貼着されており、剥離紙３０７を剥離して配送物に貼着されることになる（例えば、特許文献１参照。）。
【０００５】
上記のように構成された配送伝票３０１は、配達票３１０及び貼付票３２０にそれぞれ設けられた配送情報印字領域３１１，３２１に、配送物の配送元や配送先の住所や氏名等の情報、並びに配送物の品名等からなる配送情報が印字された後、剥離紙３０７が剥離され、粘着剤３０４ｂによって配送物に貼着される。この際、作業票３３０がミシン目３５０によって分離される。
【０００６】
配送物が配送先に届けられ、配達票３１０に設けられた押印領域３１２に受領印が押下されると、押印領域３１２に受領印が押下された配達票３１０がスリット３４０によって貼付票３２０から分離され、配送物の配送者によって回収されることになる。
【０００７】
このように、伝票用紙３０２にスリット３４０を形成し、配達票３１０と貼付票３２０とをこのスリット３４０によって分離可能とすることにより、配達票３１０を分離しやすくし、配達票３１０を分離する際に配達票３１０や貼付票３２０が破れてしまうことを回避することができる。
【特許文献１】特開２００４−２９１２９３号公報
【発明の開示】
【発明が解決しようとする課題】
【０００８】
上述したような配送伝票においては、配送物に貼付される前に、表面に配送情報を印字する必要があるが、その際、配送伝票がプリンタ内を移送されながら配送情報が印字されることになる。プリンタにおいては、移送ローラ等によって配送伝票を引っ張りながら移送するため、配送伝票には移送方向に引張力が加わることになる。ここで、上述した配送伝票が、スリットと直交する方向に移送された場合について説明する。
【０００９】
図７は、図６に示した配送伝票３０１が移送ローラによって移送される状態を示す図である。
【００１０】
図６に示した配送伝票３０１の配送情報印字領域３１１，３２１に配送情報を印字するために、配送伝票３０１をプリンタにセットすると、図７に示すように、配送伝票３０１が、剥離紙３０７が内側となるように移送ローラ３６０に巻きつけられ、伝票用紙３０２に形成されたスリット３４０の延長方向に直交する方向に移送ローラ３６０が回転して移送されていく。すると、移送ローラ３６０による移送によって配送伝票３０１の移送方向に引張力が加わるとともに、伝票用紙３０２及び剥離紙３０７と移送ローラ３６０の表面との間の距離の差、並びに移送ローラ３６０によって伝票用紙３０２が湾曲することにより、配達票３１０のスリット３４０に沿う領域がラベル基材３０６から剥離して捲れ上がり、配送伝票３０１が使用不可能となってしまったり、プリンタ内にてジャムが生じてしまったりする虞れがある。
【００１１】
そこで、スリット３４０の一部に配達票３１０と貼付票３２０とを連結する連結部を設けておき、上述したような方向に引張力が加わったり、配送伝票３０１が湾曲したりした場合であっても、配達票３１０がこの連結部にて貼付票３２０と連結していることにより、スリット３４０に沿う領域がラベル基材３０６から剥離して捲れ上がることを回避することが考えられる。
【００１２】
ところが、上述したような配達票３１０がスリット３４０によって囲まれた分離領域となっている場合、配達票３１０を貼付票３２０から分離する際に分離開始部となる領域から離れた領域においては、配達票３１０を貼付票３２０から分離しようとする力が分散するため、上述した連結部の幅が広いと、配達票３１０を貼付票３２０から分離する際に配達票３１０や貼付票３２０が破れてしまう虞れがある。またその反対に連結部の幅が狭いと、配達票３１０を貼付票３２０から分離する際に配達票３１０や貼付票３２０が破れてしまう可能性が低減するものの、上述したように引張力が加わったり湾曲したりした際にその力によって連結部が切断され、上記同様に、スリット３４０に沿う領域がラベル基材３０６から剥離して捲れ上がってしまうことになる。
【００１３】
本発明は、上述したような従来の技術が有する問題点に鑑みてなされたものであって、スリットによって囲まれた分離領域を分離しやすくしながらも、スリットと直交する方向に引張力が加わった場合にその引張力によって分離領域が分離してしまう可能性を低減することができる分離シートを提供することを目的とする。
【課題を解決するための手段】
【００１４】
上記目的を達成するために本発明は、
所定方向に延長する辺を具備するスリットに囲まれることによって分離可能となる分離領域が区画形成された第１のシートと、該第１のシートに貼着された第２のシートとを有し、前記所定方向と直交する方向に引張力が加わる分離シートにおいて、
前記スリットは、前記所定方向に延長する辺に当該スリットが途切れる途切れ部を有し、前記所定方向に延長する辺のうち、前記分離領域を分離する際の分離開始部を含まない辺に設けられた前記途切れ部によって途切れる部分の２つの端部のうち前記分離開始部側の端部が前記分離領域側に向き、かつ、前記分離開始部を含む辺に設けられた前記途切れ部によって途切れる部分の２つの端部のうち前記分離開始部側ではない方の端部が前記分離領域側に向いている形状であることを特徴とする。
【００１５】
上記のように構成された本発明においては、表面に情報が印字される等という機械処理にかけられる際に引張力が加わると、第１のシートの分離領域を区画形成するスリットのうち、引張力に直交する方向に延長する辺が開口するように力が加わり、また、その状態にて第１のシートが外側となるように分離シートが湾曲すると、分離領域のスリットに沿う領域が第２のシートから剥離して捲り上がろうとする。ところが、スリットのうち、引張力に直交する方向に延長する辺にはスリットが途切れた途切れ部が設けられているため、この途切れ部によって、分離領域のスリットに沿う領域が第２のシートから剥離して捲り上がることがなくなり、さらに、この途切れ部によって途切れる部分の端部の一方が、途切れ部が設けられたスリットの辺の延長方向とは異なる方向に向いていることにより、引張力が分散し、途切れ部が裂けにくくなる。
【００１６】
その後、第１のシートの分離開始部から分離領域を分離していくと、分離領域の第１のシートとの分離部分が途切れ部によって途切れた部分の一方の端部に達し、分離領域を第１のシートから分離するために分離領域をさらに分離開始部から離れる方向に引っ張っていくと、途切れ部が分離領域の引っ張り方向に破断していく。すると、途切れ部によって途切れた部分の２つの端部のうち一方が、２つの端部のうち分離開始部側の端部が他方の端部よりも分離開始部との距離が短くなるようにスリットの辺の延長方向とは異なる方向に向いていることにより、この破断方向に、途切れ部によって途切れた部分の他方の端部から延びるスリット部分が存在し、破断部分がこのスリット部分とつながり、分離領域がスリットによって第１のシートから分離されることになる。
【発明の効果】
【００１７】
以上説明したように本発明においては、分離領域を第１のシートから分離するためのスリットのうち引張力と直交する方向に延びる辺にスリットが途切れる途切れ部を設け、さらに、この途切れ部によって途切れる部分の端部の一方が、途切れ部が設けられたスリットの辺の延長方向とは異なる方向に向いている構成としたため、引張力が加わった場合にその引張力によって分離領域が分離してしまう可能性を低減することができ、さらに、分離領域を分離する際の分離開始部を含まない辺に設けられた途切れ部によって途切れる部分の２つの端部のうち一方が、２つの端部のうち分離開始部側の端部が他方の端部よりも分離開始部との距離が短くなるようにスリットの辺の延長方向とは異なる方向に向いている構成としたため、分離開始部となる領域から離れた領域において、分離領域を分離しようとする力が分散しても途切れ部を介して分離部分がつながり、分離領域を分離していく方向を変えることなく分離領域を容易に分離することができる。
【発明を実施するための最良の形態】
【００１８】
以下に、本発明の実施の形態について図面を参照して説明する。
【００１９】
図１は、本発明の分離シートの実施の一形態を示す図であり、（ａ）は表面図、（ｂ）（ａ）に示したＡ−Ａ’断面図、（ｃ）は（ａ）に示したＢ−Ｂ’断面図である。
【００２０】
本形態は図１に示すように、分離領域である配送票１０と送り状２０とからなる配送伝票１ａ〜１ｃであって、本形態においては、この３つの配送伝票１ａ〜１ｃが連接した配送伝票シート１について説明する。
【００２１】
配送伝票シート１は、第１のシートである伝票用紙２と、第２のシートであるラベル用紙６とがその全面にて互いに貼着されている。
【００２２】
配送伝票１ａ〜１ｃはそれぞれ、伝票用紙２に形成されたスリット４１によって配送票１０が送り状２０から分離可能に区画形成されている。配送票１０は、４辺からなるスリット４１に囲まれることにより送り状２０から分離可能となっており、配送物の配送元及び配送先の住所や氏名等の情報、並びに配送物の品名等からなる配送情報を印字するための配送情報印字領域１１と、配送物の配送先にて受領印を押下するための押下領域１２とが設けられている。送り状２０には、配送情報印字領域１１に印字された情報と同一の配送情報を印字するための配送情報印字領域２１が設けられているとともに、配送情報印字領域１１，２１に配送情報を印字する際にプリンタにてこの配送伝票シート１を移送する方向を示す移送方向表示情報１３が記載されている。このように構成された３つの配送伝票１ａ〜１ｃは、伝票用紙２及びラベル用紙６に形成されたスリット４２を介して連接している。
【００２３】
配送伝票１ａ〜１ｃのうち配送票１０となる領域は、伝票用紙２の裏面に剥離剤が塗布されることにより剥離剤層３が形成され、この剥離剤層３が形成された面が粘着剤４ａによってラベル用紙６に全面貼着されている。また、配送伝票１ａ〜１ｃのうち送り状２０となる領域は、伝票用紙２の裏面に剥離剤層３が形成されずに粘着剤４ａによってラベル用紙６に全面貼着されている。これにより、伝票用紙２のうち配送票１０となる領域がラベル用紙６に対して剥離可能に貼着され、また、伝票用紙２のうち送り状２０となる領域がラベル用紙６に対して剥離困難に貼着されている。
【００２４】
ラベル用紙６は、伝票用紙２との貼着面のうち、伝票用紙２の配送票１０に対向する領域に広告情報が印刷されることにより印刷層５が形成され、その印刷層５が形成された面の全面に、伝票用紙２とラベル用紙６とを貼着するための粘着剤４ａが塗布されている。この粘着剤４ａとしては、例えば、０．５Ｍｐａ以上１０Ｍｐａ以下の圧力でシートどうしを貼着可能な非感圧性の水性エマルジョン粘着剤を用いることが考えられる。水性エマルジョン粘着剤は、水を主成分とする液中にこの液と混じりあわない樹脂が微粒子となって分散した粘着剤であって、塗布時には水分があるが、塗布後、水分が蒸発し、粘着剤の微粒子が残留する。また、ラベル用紙６の伝票用紙２との貼着面とは反対側の面の全面には、粘着剤４ｂによって剥離紙７が剥離可能に貼着されている。
【００２５】
配送票１０を送り状２０から分離可能とするために伝票用紙２に形成されたスリット４１の４辺のうち、移送方向表示情報１３によって示される配送伝票シート１の移送方向と直交する方向に延長する２辺には、スリット４１が途切れた途切れ部４１ａ，４１ｂがそれぞれ２つずつ設けられている。さらに、この途切れ部４１ａ，４１ｂによって途切れる部分の端部の一方は、スリット４１が延長する方向に対して配送票１０側に斜めの方向に向いている。具体的には、移送方向表示情報１３によって示される配送伝票シート１の移送方向と直交する方向に延長する２辺のうち、配送伝票シート１の移送方向先端側の辺に設けられた２つの途切れ部４１ａにおいては、途切れ部４１ａによって途切れる部分の２つの端部のうち、配送票１０を送り状２０から分離する際の分離開始部１４側の端部が配送票１０側に斜めの方向に向いており、また、配送伝票シート１の移送方向後端側の辺に設けられた２つの途切れ部４１ｂにおいては、途切れ部４１ｂによって途切れる部分の２つの端部のうち、配送票１０を送り状２０から分離する際の分離開始部１４とは反対側の端部が配送票１０側に斜めの方向に向いている。すなわち、スリット４１の配送伝票シート１の移送方向と直交する方向に延長する２辺のうち、分離開始部１４を含まない辺に設けられた２つの途切れ部４１ａによって途切れる部分の２つの端部は、分離開始部１４側の端部がその辺の延長方向とは異なる方向を向いているものの、配送票１０側に斜めに向いているため、分離開始部１４側の端部が分離開始部１４とは反対側の端部よりも分離開始部１４との距離が短くなっている。
【００２６】
以下に、上記のように構成された配送伝票シート１の製造方法について説明する。
【００２７】
まず、連続状のラベル用紙６の一方の面に広告情報を印刷することにより印刷層５を形成する。この際、ラベル用紙６の他方の面には、粘着剤４ｂによって剥離紙７が貼着されている。
【００２８】
また、伝票用紙２の一方の面に配送情報印字領域１１，２１及び押印領域１２を設けるたり移送方向表示情報１３を表示したりするための印刷を施す。
【００２９】
次に、伝票用紙２の印刷が施された面とは反対側の面のうち、配送票１０となる領域に剥離剤を塗布することにより剥離剤層３を形成する。なお、剥離剤層３は伝票用紙２の配送票１０となる領域に予め形成されていてもよい。
【００３０】
次に、ラベル用紙６の印刷層５が形成された面の全面に、水性エマルジョンタイプの粘着剤４ａを塗布する。
【００３１】
そして、粘着剤４ａが乾燥する前に、伝票用紙２の剥離剤層３が形成された面とラベル用紙６の粘着剤４ａが塗布された面とが対向するように伝票用紙２とラベル用紙６とを重ね合わせ、これらを粘着剤４ａによって貼着する。
【００３２】
その後、上述した処理によって互いに貼着された連続状の伝票用紙２、ラベル用紙６及び剥離紙７を図１に示したような単片状に断裁する。
【００３３】
以下に、上記のようにして製造された配送伝票シート１に対して配送情報印字領域１１，２１に配送情報を印字する際の処理について説明する。
【００３４】
上記のようにして製造された配送伝票シート１は、配送情報印字領域１１，２１に配送情報が印字される際、積み重ねられた状態から１枚ずつフィードされ、配送情報印字領域１１，２１に配送情報が印字されていく。この際、配送情報印字領域１１，２１に配送情報を印字するプリンタにおいては、移送ローラ等によって配送伝票シート１を搬送していく。
【００３５】
図２は、図１に示した配送伝票シート１が移送ローラによって移送される状態を示す図であり、（ａ）は配送伝票シート１が移送ローラに当接している状態を示す図、（ｂ）はスリット４１の構成を示す図、（ｃ）は移送方向に引張力が加わった際のスリット４１の状態を示す図である。
【００３６】
積み重ねられた状態から１枚ずつフィードされた配送伝票シート１は、配送情報印字領域１１，２１に配送情報を印字するために、図２（ａ）に示すように、剥離紙７が内側となるように移送ローラ３０に巻きつけられ、移送ローラ３０が回転することによって、配送票１０に印刷された移送方向表示情報１３によって示される方向に移送されていく。すると、配送伝票シート１の移送方向に引張力が加わるとともに、配送伝票シート１の剥離紙７側が内側となるように湾曲力が加わる。配送伝票シート１は、配送伝票シート１の剥離紙７側が内側となるように湾曲力が加わると、配送票１０のうち、配送伝票シート１の移送方向と直交する方向に延長するスリット４１の辺に沿う領域がラベル用紙６から剥離して捲れ上がろうとするが、スリット４１の配送伝票シート１の移送方向と直交する方向に延長する辺には、スリット４１が途切れた途切れ部４１ａ，４１ｂが設けられているため、この途切れ部４１ａ，４１ｂによって、配送票１０がラベル用紙６に剥離困難に貼着された送り状２０に繋がっており、それにより、配送票１０のスリット４１に沿う領域がラベル用紙６から剥離して捲り上がることがなくなる。
【００３７】
また、伝票用紙２に形成されたスリット４１の４辺のうち、配送伝票シート１の移送方向と直交する方向に延長する辺は図２（ｂ）に示すように、配送伝票シート１の移送方向に直交する方向に延長する辺部４１ｃと、その辺部４１ｃの一端に繋がり、配送伝票シート１の移送方向に対して配送票１０側に斜めの方向に延長する辺部４１ｄとから構成されているため、配送伝票シート１の移送方向に引張力が加わると、図２（ｃ）に示すように、その引張力は、スリット４１が広がるように幅方向に引っ張られる力と延長方向に引っ張られる力とに分散する。そのため、配送伝票シート１の移送方向に引張力が加わっても、途切れ部４１ａ，４１ｂが裂けにくくなる。
【００３８】
上述したように配送情報印字領域１１，２１に配送情報が印字された配送伝票シート１は、その後、剥離紙７が剥離され、ラベル用紙６に塗布された粘着剤４ｂによって、配送票１０及び送り状２０からなる配送伝票１ａ〜１ｃ毎に配送物に貼着されて利用されることになる。この際、配送伝票１ａ〜１ｃの境界部に形成されたスリット４２は、伝票用紙２及びラベル用紙６に形成されているため、剥離紙７を剥離することにより、配送伝票１ａ〜１ｃ毎に分離することができる。
【００３９】
配送伝票１ａ〜１ｃが貼着された配送物は、配送情報印字領域１１，２１に印字された配送情報に従って配送先に配送され、押印領域１２に受領印が押下された後、配送伝票１ａ〜１ｃから配送票１０が分離されて回収される。
【００４０】
図３は、図１に示した配送伝票１ａから配送票１０が分離される際の状態を説明する図であり、（ａ）は配送伝票１ａから配送票１０が分離していく状態を示す図、（ｂ）は配送伝票１ａから分離された配送票１０の表面図である。
【００４１】
配送物に貼着された配送伝票１ａから配送票１０を分離する場合は、図３（ａ）に示すように、配送票１０の分離開始部１４を摘み、分離開始部１４が貼着されていた領域から離れる方向に引っ張っていく。すると、伝票用紙２のうち配送票１０となる領域は、裏面に剥離剤層３が形成されていることによってラベル用紙６から剥離されていく。また、配送票１０は、スリット４１によって送り状２０から分離可能に構成されているため、配送票１０と送り状２０とが容易に分離される。配送票１０の送り状２０との分離部分が途切れ部４１ａによって途切れた部分の一方の端部、すなわちスリット４１を構成する辺部４１ｄ（図２参照）の端部に達し、配送票１０を配送物から離れる方向にさらに引っ張っていくと、途切れ部４１ａが配送票１０の引っ張り方向に破断していく。すると、その破断方向には、スリット４１の途切れ部４１ａによって途切れた部分の他方の端部を有する辺部４１ｃ（図２参照）が存在するため、破断部分がその辺部４１ｃとつながり、再び辺部４１ｃ及び辺部４１ｄによって配送票１０が送り状２０から分離していく。また、途切れ部４１ｂについても同様にして破断し、途切れ部４１ｂによって途切れたスリット４１がつながり、配送票１０が送り状２０から分離していく。
【００４２】
このようにして、配送票１０を分離開始部１４が貼着されていた領域から離れる方向に引っ張っていくと、スリット４１に設けられた途切れ部４１ａ，４１ｂが破断して、途切れ部４１ａ，４１ｂによって途切れていたスリット４１がつながり、それにより、配送票１０が送り状２０から分離されることになる。これにより、配送票１０を送り状２０から分離する際、分離開始部１４から分離しはじめてからその分離方向を途中で変えることなく配送票１０を送り状２０から完全に分離することができる。
【００４３】
送り状２０から分離され、配送物から剥離された配送票１０は、裏面に剥離剤層３が形成されているものの、粘着剤が塗布されていないため、カールすることがなく、かつ、裏面がベタつかずに他の物品等に貼着されてしまうことがない。また、このように回収された配送票１０はその後、配送情報印字領域１１に印字された配送情報や表面に印刷されたバーコード情報（不図示）を読み取る等の機械処理にかけられることになるが、その際、粘着剤によってジャム等が生じることを回避することができる。また、配送票１０を分離可能とするように伝票用紙２に形成されたスリット４１の途切れ部４１ａ，４１ｂによって途切れる部分の端部のうち、配送伝票シート１の移送方向に対して斜めに向いた端部が、配送票１０側に斜めに向いているため、図３（ｂ）に示すように、配送票１０が送り状２０から分離された状態においては、配送票１０の側辺部に分離による微細な凸部が生じることがない。そのため、この配送票１０が機械処理にかけられた場合にジャム等が生じることを回避することができる。
【００４４】
また、上述したように配送票１０がラベル用紙６から剥離されると、ラベル用紙６の配送票１０との貼着面に印刷層５によって表現された広告情報６ａが視認可能となる。この際、ラベル用紙６に配送票１０を貼着していた粘着剤４ａとして、上述した水性エマルジョンタイプのものを用いれば、乾燥後であるため、表面がベタつくことがなく、ゴミ等が付着して広告情報６ａが見にくくなってしまうことがない。
【００４５】
（他の実施の形態）
図４は、本発明の分離シートの他の実施の形態を示す図である。
【００４６】
本形態は図４に示すように、図１に示したものに対して、配送票１１０を分離可能とするためのスリット１４１を構成する４辺のうち、配送伝票シート１０１の移送方向に直交する方向に延長し、かつ、配送伝票シート１０１の移送方向先端側の辺に設けられた途切れ部１４１ａによって途切れる部分の端部の向きが異なるものである。
【００４７】
本形態においては、配送伝票シート１０１の移送方向先端側の辺に設けられた途切れ部１４１ａによって途切れる部分の２つの端部のうち、分離開始部１１４側の端部がその辺の延長方向に向いており、また、分離開始部１１４とは反対側の端部が配達票１１０とは反対側に斜めに向いている。そのため、本形態においても、スリット１４１の配送伝票シート１０１の移送方向と直交する方向に延長する２辺のうち、分離開始部１１４を含まない辺に設けられた２つの途切れ部１４１ａによって途切れる部分の２つの端部は、分離開始部１１４側の端部が分離開始部１１４とは反対側の端部よりも分離開始部１１４との距離が短くなっている。
【００４８】
上記のように構成された配送伝票シート１０１によって提供される配送伝票１０１ａ〜１０１ｃにおいても、配送票１１０を分離開始部１１４から分離した際、途切れ部１４１ａ，１４１ｂが破断することにより、途切れ部１４１ａ，１４１ｂによって途切れたスリット１４１がつながり、配送票１１０を送り状１２０から分離することができる。
【００４９】
図５は、本発明の分離シートの他の実施の形態を示す図である。
【００５０】
本形態は図５に示すように、図１に示したものに対して、配送票２１０を分離可能とするためのスリット２４１を構成する４辺のうち、配送伝票シート２０１の移送方向に直交する方向に延長し、かつ、配送伝票シート２０１の移送方向後端側の辺に設けられた途切れ部２４１ｂによって途切れる部分の端部の向きが異なるものである。
【００５１】
本形態においては、配送伝票シート２０１の移送方向後端側の辺に設けられた途切れ部２４１ｂによって途切れる部分の２つの端部のうち、分離開始部２１４側の端部が配達票２１０とは反対側に斜めに向いており、また、分離開始部１１４とは反対側の端部がその辺の延長方向に向いている。
【００５２】
上記のように構成された配送伝票シート２０１によって提供される配送伝票２０１ａ〜２０１ｃにおいても、配送票２１０を分離開始部２１４から分離した際、途切れ部２４１ａ，２４１ｂが破断することにより、途切れ部２４１ａ，２４１ｂによって途切れたスリット２４１がつながり、配送票２１０を送り状２２０から分離することができる。
【００５３】
なお、上述した３つの実施の形態においては、伝票用紙２，１０２，２０２に形成されたスリット４１，１４１，２４２を構成する４辺のうち、配送伝票シート１，１０１，２０１の移送方向に直交する２辺に、スリット４１，１４１，２４２が途切れる途切れ部４１ａ，４１ｂ，１４１ａ，１４１ｂ，２４１ａ，２４１ｂがそれぞれ設けられ、スリット４１，１４１，２４２の途切れ部４１ａ，４１ｂ，１４１ａ，１４１ｂ，２４１ａ，２４１ｂによって途切れる部分の２つの端部のうち一方が、その辺の延長方向と異なる方向を向いているが、配送伝票シート１，１０１，２０１の移送方向に直交する２辺のうち、配送伝票シート１，１０１，２０１の移送方向後端側の辺については、分離開始部１４，１１４，２１４から配送票１０，１１０，２１０を分離する力がそれほど分散しないため、スリット４１，１４１，２４２の途切れ部４１ｂ，１４１ｂ，２４１ｂによって途切れる部分の２つの端部がそれぞれその辺の延長方向に向いていてもよい。
【００５４】
また、スリット４１，１４１，２４１を構成する４辺のうち、配送伝票シート１，１０１，２０１の移送方向と直交する方向に延長する２辺に設けられる途切れ部の数は、上述した３つの実施の形態のように２つに限らない。
【００５５】
また、粘着剤４ａとしては、上述した水性エマルジョンタイプのものに限らず、また、粘着剤４ａと剥離剤層３とによる擬似接着構造についてもこれに限らない。擬似接着構造としては、粘着力が弱い粘着剤を用いたり、２層構造のフィルムを用いたりすることも考えられる。
【００５６】
また、上述した３つの実施の形態においては、スリット４１，１４１，２４１の形状が、スリットの途切れ部によって途切れた部分の一方がスリットの延長方向とは異なる方向に向くように角部を有して折れ曲がっている形状となっているが、丸みを帯びてその方向に向かうような形状としてもよい。
【００５７】
また、上述した３つの実施の形態においては、配送伝票１ａ〜１ｃ，１０１ａ〜１０１ｃ，２０１ａ〜２０１ｃのうち配送票１０，１１０，２１０以外の領域が、伝票用紙２の裏面に剥離剤層３が形成されずに粘着剤４ａによってラベル用紙６に全面貼着されているが、この領域においても、配送票１０，１１０，２１０となる領域と同様に、伝票用紙２の裏面に剥離剤が塗布されることにより剥離剤層３及び粘着剤４ａによってラベル用紙６に剥離可能に貼着された構成としてもよい。
【００５８】
また、上述した３つの実施の形態において、ラベル用紙６に貼着された剥離紙７を第２のシートとし、伝票用紙２に剥離紙７が直接貼着されただけの構成としてもよい。
【００５９】
また、上述した３つの実施の形態においては、分離シートとして、配送票１０，１１０，２１０がスリット４１，１４１，２４１によって送り状２０，１２０，２２０から分離可能に構成された配送伝票１ａ〜１ｃ，１０１ａ〜１０１ｃ，２０１ａ〜２０１ｃを例に挙げて説明したが、本発明はこれに限らず、スリットに囲まれることによって分離可能となる分離領域が区画形成された第１のシートと、第１のシートに全面貼着された第２のシートとからなるものであれば、適宜適用することができる。
【図面の簡単な説明】
【００６０】
【図１】本発明の分離シートの実施の一形態を示す図であり、（ａ）は表面図、（ｂ）（ａ）に示したＡ−Ａ’断面図、（ｃ）は（ａ）に示したＢ−Ｂ’断面図である。
【図２】図１に示した配送伝票シートが移送ローラによって移送される状態を示す図であり、（ａ）は配送伝票シートが移送ローラに当接している状態を示す図、（ｂ）はスリットの構成を示す図、（ｃ）は移送方向に引張力が加わった際のスリットの状態を示す図である。
【図３】図１に示した配送伝票から配送票が分離される際の状態を説明する図であり、（ａ）は配送伝票から配送票が分離していく状態を示す図、（ｂ）は配送伝票から分離された配送票の表面図である。
【図４】本発明の分離シートの他の実施の形態を示す図である。
【図５】本発明の分離シートの他の実施の形態を示す図である。
【図６】スリットを用いた従来の配送伝票の一構成例を示す図であり、（ａ）は表面図、（ｂ）は（ａ）に示したＡ−Ａ’断面図である。
【図７】図６に示した配送伝票が移送ローラによって移送される状態を示す図である。
【符号の説明】
【００６１】
１，１０１，２０１    配送伝票シート
１ａ〜１ｃ，１０１ａ〜１０１ｃ，２０１ａ〜２０１ｃ    配送伝票
２    伝票用紙
３    剥離剤層
４ａ，４ｂ    粘着剤
５    印刷層
６    ラベル用紙
６ａ    広告情報
７    剥離紙
１０，１１０，２１０    配送票
１１，２１，１１１，１２１，２１１，２２１    配送情報印字領域
１２，１１２，２１２    押印領域
１３，１１３，２１３    移送方向表示情報
１４，１１４，２１４    分離開始部
２０，１２０，２２０    送り状
３０    移送ローラ
４１，４２，１４１，１４２，２４１，２４２    スリット
４１ａ，４１ｂ，１４１ａ，１４１ｂ，２４１ａ，２４１ｂ    途切れ部
４１ｃ，４１ｄ    辺部
４２ａ，４２ｂ，１４２ａ，１４２ｂ    分離開始部
【図１】
0004845192.tif 000002
【図２】
0004845192.tif 000003
【図３】
0004845192.tif 000004
【図４】
0004845192.tif 000005
【図５】
0004845192.tif 000006
【図６】
0004845192.tif 000007
【図７】
0004845192.tif 000008